(57)【要約】【課題】被集塵物から本体吸込口とホース先端からの吸込の２方式の切替集塵が可能で、高齢者等でも簡単に操作できる両用型集塵装置を提供する。【解決手段】本発明の両用型集塵装置１は、被集塵物Ｍからダストを吸引する吸気口１０と、ダスト混合空気を吸い上げる吸上管１８と、吸上管１８からダスト混合空気を流通させるホース２２を含むホース体２０と、ホース体２０の一端側で吸上管１８に挿脱自在に接続されるホース体口部３５と、ホース体口部３５を吸上管１８に手動で挿脱させるためにホース体口部３５から延設された手で把持できる把持部３０を有し、ホース体口部３５を吸上管１８に接続したときには吸気口１０に被集塵物Ｍを接近させて被集塵物Ｍからダストを吸引でき、把持部３０を手で把持してホース体口部３５を吸上管１８から分離し、ホース体口部３５を被集塵物Ｍに接近させて被集塵物Ｍからダストを吸引することを特徴とする。【選択図】  図１
2015039382.tif 000002
【特許請求の範囲】
【請求項１】
被集塵物からダストを空気とともに吸引する吸気口と、
前記吸気口から吸引されたダスト混合空気を上方へと吸い上げる吸上管と、
前記吸上管からダスト混合空気を流通させるホースを含むホース体と、
前記ホース体の一端側で前記吸上管の排気端に挿脱自在に接続されるホース体口部と、
前記ホース体口部を前記排気端に手動で挿脱させるために前記ホース体口部から延設された手で把持できる把持部を少なくとも有し、
前記ホース体口部を前記吸上管に接続したときには前記吸気口の近傍に前記被集塵物を接近させて被集塵物からダストを吸引することができ、
前記把持部を手で把持して前記ホース体口部を前記吸上管の排気端から分離させ、前記ホース体口部を被集塵物の近傍に接近させて被集塵物からダストを吸引することができることを特徴とする両用型集塵装置。
【請求項２】
前記ホース体を支持するホース体支持部と、
前記ホース体の他端側で本体内部にダスト混合空気を送入するホース体基部と、
前記ホース体基部から送入されたダスト混合空気を吸引してダストを分離捕集するフィルタ部と、
前記ダスト混合空気を吸引する動力源で前記フィルタ部から浄化された空気を吸引排出させるモータ部と、
前記モータ部から排出される浄化空気を大気中に排気する排気口を更に有し、
前記ホース体支持部を手で把持して移動可能に構成される請求項１に記載の両用型集塵装置。
【請求項３】
前記ホース体口部を前記吸上管に接続したときに、前記把持部は、前記ホースに沿って上方に延設される把持部突出片と、前記把持部突出片の上方に形成された手指把握部を有し、前記手指把握部に手指を引っ掛けて前記把持部突出片を上方に引き上げ、前記ホース体口部を前記吸上管から上方に分離できる請求項１又は２に記載の両用型集塵装置。
【請求項４】
前記手指把握部は前記把持部突出片の上方に穿設された挿入孔であり、前記挿入孔の上縁位置に把持部突出端があり、前記挿入孔に手指を挿入して前記把持部突出端に手指を引っ掛けることができる請求項３に記載の両用型集塵装置。
【請求項５】
前記把持部は、前記ホースが内挿される把持部本体管と、前記把持部本体管の上部を軸方向に切欠いて半割状に形成された把持部突出片及び把持部切欠部と、前記把持部突出片の上方に穿設された挿入孔から構成される請求項４に記載の両用型集塵装置。
【請求項６】
前記ホース体口部は、前記ホースの一端側に結合されたホース一端管と、前記ホース一端管に同軸状に接続されるホース口部管と、前記ホース口部管の先端に接続されるゴム状管と、前記ホース一端管と前記ホース口部管を内挿して所定位置に固定した前記把持部本体管から構成され、前記ゴム状管が前記把持部本体管の本体管下面から突出している請求項５に記載の両用型集塵装置。
【請求項７】
前記ホース体支持部は、後側本体ケースの左右中央位置からケース天板の中央に逆Ｕ字状に湾曲して形成され、前記ホースは前記ホース体支持部に載置されて逆Ｕ字状に湾曲して配置される請求項１〜６のいずれかに記載の両用型集塵装置。
【請求項８】
前記ホース体基部はケース天板の中央に固定され、前記ホース体基部は前記フィルタ部に接続され、前記フィルタ部はその下方に配置されたモータ部に接続され、浄化空気は本体ケースの後部に形成された排気口から排出される請求項１〜７のいずれかに記載の両用型集塵装置。
【発明の詳細な説明】
【技術分野】
【０００１】
本発明は、清掃に使用されたモップやマット等の被集塵物に付着した塵埃を吸引し、フィルタにより塵埃を分離して集塵する集塵装置に関する。
【背景技術】
【０００２】
床面等の清掃には、モップ清掃具や箒によりごみや塵を一箇所に寄せ集め、塵取りを用いてごみ箱に捨てる方法あるいは電気掃除機を用いる方法がある。電気掃除機を使えば、塵集めの手間を省くことができるが、吸引ホースやノズルを掃除機本体と一緒に移動させる必要があり、簡易に清掃作業を済ませたいときには、モップ清掃具や箒が広く使用されている。殊に、箒は使い込むと擦り減ってしまうが、モップ清掃具は汚れても洗浄して再利用可能であり、レンタルモップ製品としても普及している。また、床敷マットは多人数の靴底から塵埃を除去するが、使用済みの床敷マットから除塵するには、床敷マットを叩いて塵埃を脱落させたり、電気掃除機で床敷マット面から集塵し、後で床敷マットを洗浄する以外に方法は無かった。
【０００３】
これらの電気掃除機の中で、モップやマット等に特化された集塵装置が開発されている。まず従来集塵装置の一例として、特許第４９４９２９９号公報（特許文献１）の集塵装置が開発されている。図１０に示されるように、収納ケース１０１の中にモータ７とファン１０８からなるブロワ１０６が配置され、スイッチ１０５をオンするとブロワ１０６が吸引作動する。突状リブ１１２に使用済みのモップを摩擦して繊維屑を含む塵埃を掻き取ると、落下した塵埃は吸引開口部１０３から奥壁１１５の貫通孔１１７を矢印方向へと吸い込まれる。吸引された塵埃混合空気はフィルタ１２４の中に入って塵埃が分離捕集され、清浄化された浄化空気はフィルタ１２４を通過し、上部１１６から吸引口１２０へとブロワ１０６により矢印方向へと上昇する。更にブロワ１０６により吹き出された浄化空気は、内排気口１０９から外排気口１０４を介して大気中に放出される。
【０００４】
突状リブ１１２の上縁部１１３は下部ケース体１０２の上方上縁１１４に固定されている。下部ケース体１０２の底面１２３は床面Ｆに載置され、フィルタ１２４は可動係着部１２２により着脱自在に装着されている。高さＨ０は突状リブ１１２の下方にある空隙高さを示す。また、収納ケース１０１の内枠１２１は下部ケース体１０２の上面と係着部１１８、１１９で相互に一体化されている。
【０００５】
従来集塵装置の第二例として、特許第５２１９５６７号公報（特許文献２）の集塵装置が開発されている。図１１に示されるように、集塵装置２０１は、本体２０２と蓋体２０３と吸込口２３１と操作ボタン２２４とカバー部材２２６から構成されている。モップ２００のハンドル２１２の下部にはパイルからなるモップ本体２１１が配置されている。使用済みのモップ本体２１１には多数の毛屑・繊維屑を含む塵埃が付着している。操作ボタン２２４を押して集塵装置２０１を作動させると、吸込口２３１から強力に空気流が吸い込まれてゆく。モップ本体２１１を吸込口の近傍で左右や前後に動かすと、モップ本体２１１から塵埃が脱落し、吸込口２３１から吸引されてゆく。その結果、モップ本体２１１は再生され、新たに室内の清掃作業を実施できる状態になる。
【０００６】
従来集塵装置の第三例として、実開昭５８−１６９８４２号公報（特許文献３）の電気掃除機が開発されている。この電気掃除機はモップやマットに特化されたものではないが、２種類のホース使用法を示した電気掃除機である。図１２に示すように、（１２Ａ）ではホースを一体化した使用方法が示され、（１２Ｂ）ではホースを分離した使用方法が示されている。
（１２Ａ）には、吸込口体３０１を床面に載置した本体３０３と、本体３０３の背面上部と吸込口体３０１の背部に両端を傾斜状に連結したホース３０４と、本体３０３の天板に直立させた手で把持するハンドル３０２からなる電気掃除機が図示されている。吸込口体３０１が床面から塵埃を吸込み、ホース３０４を介して本体３０３の内部で集塵して浄化空気を排気する構造である。（１２Ｂ）には、吸込口体３０１の背部からホース３０４を分離し、ホース３０４の先に吸込具３０５を装着した構造が示されている。この場合には、吸込具３０５で床面を清掃することになる。
【先行技術文献】
【特許文献】
【０００７】
【特許文献１】特許第４９４９２９９号公報
【特許文献２】特許第５２１９５６７号公報
【特許文献３】実開昭５８−１６９８４２号公報
【発明の概要】
【発明が解決しようとする課題】
【０００８】
特許第４９４９２９９号公報（特許文献１）の集塵装置では、使用済みのモップやマットを吸引開口部１０３の近傍に配置して、それらを突状リブ１１２と摩擦させて塵埃を脱落させ、この塵埃を吸引開口部１０３から吸込んで集塵することはできる。しかし、この集塵装置にはホースが装填されていないから、ホースを使ってホース口をマットやモップに接近させて集塵することはできないという欠点がある。
【０００９】
特許第５２１９５６７号公報（特許文献２）の集塵装置では、使用済みのモップやマットを吸引口２３１の近傍に配置して、それを突状リブと摩擦させて塵埃を脱落させる。脱落した塵埃を吸引口２３１から吸込んで集塵することができる点は特許文献１と同様である。しかし、この集塵装置にはホースが装填されていないため、ホースを使ってマットやモップから塵埃を直接的に集塵することができないという欠点も特許文献１と同様である。
【００１０】
実開昭５８−１６９８４２号公報（特許文献３）の電気掃除機では、ホースの両端を装置に連結して吸込口体３０１から塵埃を吸込む方式と、ホース３０４の先端を装置から分離して、ホース３０４の先端に装着した吸込具３０５から塵埃を吸込む方式とからなる両用型電気掃除機が開示されている。しかし、この電気掃除機では、ホース３０４の先端を装置から分離ときに、腰を屈めて床面に近い位置にあるホース先端を手で抜き取り、その先端に吸込具３０５を装着しなければならないという欠点がある。腰を屈めてホースを抜き取って分離する作業は高齢者などには極めて過酷である。しかも、この電気掃除機はモップやマットなどに特化されたものではないから、吸込口は吸込口体３０１の下面にあり、ホースを分離しないで使用する場合には、モップやマット等の上に吸込口体３０１を被せて置かねばならないという欠点も有している。従って、モップやマット等から集塵するためには一層の改良が必要である。
【００１１】
従って、本発明の目的は、ホースの先端を本体に着脱することによって、モップやマット等の被集塵物から本体の吸込口からの吸込とホース先端からの吸込の２方式による切替集塵を可能にし、しかも本体に対するホースの着脱操作を腰を屈めることなく高齢者等でも簡単に行うことができる両用型集塵装置を提供することである。
【課題を解決するための手段】
【００１２】
本発明は、上記課題を解決するために為されたものであり、本発明の第１の形態は、被集塵物からダストを空気とともに吸引する吸気口と、前記吸気口から吸引されたダスト混合空気を上方へと吸い上げる吸上管と、前記吸上管からダスト混合空気を流通させるホースを含むホース体と、前記ホース体の一端側で前記吸上管の排気端に挿脱自在に接続されるホース体口部と、前記ホース体口部を前記排気端に手動で挿脱させるために前記ホース体口部から延設された手で把持できる把持部を少なくとも有し、前記ホース体口部を前記吸上管に接続したときには前記吸気口の近傍に前記被集塵物を接近させて被集塵物からダストを吸引することができ、前記把持部を手で把持して前記ホース体口部を前記吸上管の排気端から分離させ、前記ホース体口部を被集塵物の近傍に接近させて被集塵物からダストを吸引することができる両用型集塵装置である。
【００１３】
本発明の第２の形態は、前記ホース体を支持するホース体支持部と、前記ホース体の他端側で本体内部にダスト混合空気を送入するホース体基部と、前記ホース体基部から送入されたダスト混合空気を吸引してダストを分離捕集するフィルタ部と、前記ダスト混合空気を吸引する動力源で前記フィルタ部から浄化された空気を吸引排出させるモータ部と、前記モータ部から排出される浄化空気を大気中に排気する排気口を更に有し、前記ホース体支持部を手で把持して移動可能に構成される両用型集塵装置である。
【００１４】
本発明の第３の形態は、前記ホース体口部を前記吸上管に接続したときに、前記把持部は、前記ホースに沿って上方に延設される把持部突出片と、前記把持部突出片の上方に形成された手指把握部を有し、前記手指把握部に手指を引っ掛けて前記把持部突出片を上方に引き上げ、前記ホース体口部を前記吸上管から上方に分離できる両用型集塵装置である。
【００１５】
本発明の第４の形態は、前記手指把握部は前記把持部突出片の上方に穿設された挿入孔であり、前記挿入孔の上縁位置に把持部突出端があり、前記挿入孔に手指を挿入して前記把持部突出端に手指を引っ掛けることができる両用型集塵装置である。
【００１６】
本発明の第５の形態は、前記把持部は、前記ホースが内挿される把持部本体管と、前記把持部本体管の上部を軸方向に切欠いて半割状に形成された把持部突出片及び把持部切欠部と、前記把持部突出片の上方に穿設された挿入孔から構成される両用型集塵装置である。
【００１７】
本発明の第６の形態は、前記ホース体口部は、前記ホースの一端側に結合されたホース一端管と、前記ホース一端管に同軸状に接続されるホース口部管と、前記ホース口部管の先端に接続されるゴム状管と、前記ホース一端管と前記ホース口部管を内挿して所定位置に固定した前記把持部本体管から構成され、前記ゴム状管が前記把持部本体管の本体管下面から突出している両用型集塵装置である。
【００１８】
本発明の第７の形態は、前記ホース体支持部は、後側本体ケースの左右中央位置からケース天板の中央に逆Ｕ字状に湾曲して形成され、前記ホースは前記ホース体支持部に載置されて逆Ｕ字状に湾曲して配置される両用型集塵装置である。
【００１９】
本発明の第８の形態は、前記ホース体基部はケース天板の中央に固定され、前記ホース体基部は前記フィルタ部に接続され、前記フィルタ部はその下方に配置されたモータ部に接続され、浄化空気は本体ケースの後部に形成された排気口から排出される両用型集塵装置である。
【発明の効果】
【００２０】
本発明の第１の形態によれば、吸気口から吸引されたダスト混合空気を上方へと吸い上げる吸上管と、前記吸上管からダスト混合空気を流通させるホースを含むホース体と、前記ホース体の一端側で前記吸上管の排気端に挿脱自在に接続されるホース体口部を設けたから、吸い上げるために上方へと立設された吸上管の排気端に上方からホース体口部を挿脱することができ、作業者が立った状態でホース体口部を上下に操作してホース体の挿脱が可能になり、作業者が腰を屈めること無くホース体口部の挿脱作業が容易になる。
また、前記ホース体口部を前記排気端に手動で挿脱させるために前記ホース体口部から延設された手で把持できる把持部を有しているから、作業者はホース体を直接触ること無く、手指で把持部を上下に操作するだけで、ホース体口部を排気端に挿脱でき、排気端に対するホース体口部の挿脱作業が極めて円滑になる。
更に、本形態の両用型集塵装置を用いれば、把持部を手で操作して前記ホース体口部を前記吸上管に接続したときには前記吸気口の近傍に前記被集塵物を接近させて被集塵物からダストを吸引することができ、また前記把持部を手で把持して前記ホース体口部を前記吸上管の排気端から分離させると、前記ホース体口部を被集塵物の近傍に接近させて被集塵物からダストを吸引することができる。このように本形態の両用型集塵装置では、吸気口からの吸引とホース体口部からの吸引が容易に切り替えて行うことができる効果を有する。
【００２１】
本発明の第２の形態によれば、ホース体を支持するホース体支持部が具備され、しかもホース体支持部を手で把持して移動可能に構成される両用型集塵装置であるから、ホース体支持部はホース体の安定保持部であり、且つ両用型集塵装置を移動する把持体の両機能を有し、ホース体支持部を手で把持するだけでどこにでも簡単に移動することができる。
また、前記ホース体の他端側で本体内部にダスト混合空気を送入するホース体基部を有するから、このホース体基部でホース体は固定され、ホース体口部を排気端から分離して自由端にしても、ホース体を本体に連結保持できる。
更に、前記ホース体基部から送入されたダスト混合空気を吸引してダストを分離捕集するフィルタ部と、前記ダスト混合空気を吸引する動力源で前記フィルタ部から浄化された空気を吸引排出させるモータ部と、前記モータ部から排出される浄化空気を大気中に排気する排気口を有しているから、ダスト混合空気をフィルタ部で浄化し、浄化空気を大気中に排気でき、フィルタ部に装着されるフィルタを交換するだけで繰り返し集塵することができる。
【００２２】
本発明の第３の形態によれば、前記ホース体口部を前記吸上管に接続したときに、前記把持部は、前記ホースに沿って上方に延設される把持部突出片と、前記把持部突出片の上方に形成された手指把握部を有しているから、前記手指把握部に手指を引っ掛けて前記把持部突出片を上方に引き上げ、前記ホース体口部を前記吸上管から上方に簡単に分離することができる。勿論、把持部突出片を手指で引っ張り上げて、前記ホース体口部を前記吸上管から上方に分離してもよいことは云うまでもない。吸上管は上方に伸びているから、把持部突出片も上方へと伸びており、作業者は腰を屈めずに立ったままで、手指把握部や把持部突出片を手指操作でき、腰を痛めることが無いので高齢者でも容易に取り扱うことができる利点を有する。
尚、手指把握部は手指で把握できる構造であればどんな具体的構造を有しても良く、例えば孔だけでなく、Ｌ字状構造体やＴ字状構造体やその他種々の構造体でも良い。
【００２３】
本発明の第４の形態によれば、前記手指把握部は前記把持部突出片の上方に穿設された挿入孔であるから、手指を容易に挿入することができ、手指操作が楽になる。また、前記挿入孔の上縁位置に把持部突出端があり、前記挿入孔に手指を挿入して前記把持部突出端に手指を引っ掛けることができるから、把握した状態で手指を上下に移動操作するだけでホース体口部を吸上管の排気端に対し容易に挿脱することができる。
【００２４】
本発明の第５の形態によれば、前記把持部は、前記ホースが内挿される把持部本体管と、前記把持部本体管の上部を軸方向に切欠いて半割状に形成された把持部突出片及び把持部切欠部と、前記把持部突出片の上方に穿設された挿入孔から構成される両用型集塵装置が提供される。基本的に把持部は管から構成され、管の下半分は管のままで把持部本体管と呼ばれる。管の上半分が竹を軸方向に半割したような構造を有し、割られて切欠かれた部分が把持部切欠部と称され、割られて残った部分が把持部突出片と称される。ホースは把持部本体管に内挿され、上方の把持部切欠部の方へホースは湾曲することができ、逆方向への湾曲は把持部突出片により阻止される。従って、把持部切欠部がホース体支持部、即ち装置本体に対面するように配置させれば、ホース体を無理なく湾曲させてホース体基部を本体に連結することが可能になる。
【００２５】
本発明の第６の形態によれば、前記ホースの一端側にホース一端管が結合されているから、柔軟で伸縮自在なホースの一端がホース一端管で保護され、繰り返し挿脱されるホース端部の耐久性を向上できる。また、前記ホース一端管に同軸状にホース口部管が接続され、前記ホース一端管と前記ホース口部管を前記把持部本体管に内挿して所定位置に固定すると、全体の長さ寸法を調整できる。しかも、前記ホース一端管と前記ホース口部管が前記把持部本体管に内挿されているから、ホース体口部の強度を向上できる。また、ホース口部管と把持部本体管を挿脱自在に仮止する仮止手段を設ければ、ホース体口部を一体に組み立て固定することが可能になる。前記ホース口部管の先端にゴム状管を接続させ、前記ゴム状管が前記把持部本体管の本体管下面から突出するように配置すると、ホース体口部を本体から分離したときに、被集塵物に対しゴム状管が当接することになり、ゴム状管の弾力性により被集塵物を棄損することが無くなる。
【００２６】
本発明の第７の形態によれば、前記ホース体支持部は、後側本体ケースの左右中央位置からケース天板の中央に逆Ｕ字状に湾曲して形成されるから、前記ホースは前記ホース体支持部に載置されて逆Ｕ字状に湾曲して配置されることになり、柔軟性と伸縮性を有したホースに無理な応力を掛けないでホースを支持でき、ホースの耐久性を向上できる。しかも、後側本体ケースの左右中央位置からケース天板の中央までホースを湾曲させながら誘導するから、吸気口から吸上管を経てホース体口部に入ったダスト混合空気は装置本体の左右中心を湾曲してケース天板の内部に誘導され、本体背面から排気されるから、空気流の流れが最短距離で回転して後方へ排気されることになり、最短距離回転による流体損失の極小化を実現できる。
【００２７】
本発明の第８の形態によれば、前記ホース体基部はケース天板の中央に固定され、前記ホース体基部は前記フィルタ部に接続され、前記フィルタ部はその下方に配置されたモータ部に接続され、浄化空気は本体ケースの後部に形成された排気口から排出されるから、前述したように、前方から流入した空気流の流れが最短距離で回転して後方へ排気されることになり、空気流が最短距離回転をして排気され、流体損失の極小化を実現でき、エネルギー損耗を低減して省エネルギーを実現できる。
【図面の簡単な説明】
【００２８】
【図１】図１は、本発明に係る両用型集塵装置の実施形態の縦断面図で、ホース体と吸上管を連結した状態を示す。
【図２】図２は、本発明に係る両用型集塵装置の実施形態の組立分解斜視図である。
【図３】図３は、本発明に係る両用型集塵装置の実施形態の前方斜視図である。
【図４】図４は、本発明に係る両用型集塵装置においてホース体と吸上管との組立分解斜視図である。
【図５】図５は、本発明に係る両用型集塵装置においてホース体と吸上管との連結状態の縦断面図である。
【図６】図６は、本発明に係る両用型集塵装置の実施形態の縦断面図で、ホース体を吸上管から分離した状態を示す。
【図７】図７は、本発明に係る両用型集塵装置において、ホース体支持部を手で把握して両用型集塵装置を持上げて移動する持上げ斜視図である。
【図８】図８は、本発明に係る両用型集塵装置の吸気口の近傍にモップを接近させてモップから塵埃を吸引する吸引口による塵埃吸引斜視図である。
【図９】図９は、本発明に係る両用型集塵装置において、ホース体をホース体支持部から分離してホース体によりモップから塵埃を吸引するホース体による塵埃吸引斜視図である。
【図１０】図１０は、従来技術である特許第４９４９２９９号公報（特許文献１）に記載の集塵装置の縦断面図である。
【図１１】図１１は、従来技術である特許第５２１９５６７号公報（特許文献２）に記載の集塵装置の吸引状態斜視図である。
【図１２】図１２は、従来技術である実開昭５８−１６９８４２号公報（特許文献３）に記載の電気掃除機の使用状態斜視図である。
【発明を実施するための形態】
【００２９】
以下に、本発明に係る両用型集塵装置の実施形態を添付した図面を参照しながら詳細に説明する。
【００３０】
図１は、本発明に係る両用型集塵装置の実施形態の縦断面図で、ホース体と吸上管を連結した状態を示す。
本実施形態に係る両用型集塵装置１の本体ケース２は、フィルタ部正面板４４と、前面本体ケース３と、底部ケース７と、後側本体ケース４と、吸上管ケース６と、斜面部９と、ケース天板５とにより筐体として形成されている。後側本体ケースから上方に向けて逆Ｕ字状に樋型のホース体支持部８が設けられ、このホース体支持部８は後側本体ケース４とから上方に支持部直立壁８ｂと支持部湾曲壁８ａからなり、ケース天板７に至るまで形成されている。
【００３１】
底部ケース７の前面側には吸気口１０が開口され、その上に弾性板からなる掻落板１２が垂下されている。吸気口１０の内方には吸込路１３となる吸込管１４、湾曲管１６及び吸上管１８が配置されている。モップやマット等の被集塵物を掻落板１２に摩擦してダストを落下させると、ダスト混合空気は吸込管１４により矢印Ａ方向に吸込まれ、湾曲管１６により矢印Ｂ方向に湾曲され、そして吸上管１８により矢印Ｃ方向へと上昇される。
【００３２】
吸上管１８は湾曲管１６に内挿されて固定され、吸上管下端１８ｃは湾曲管上端１６ａより下方位置にある。吸上管ケース６と後側本体ケース４の間には、吸上管１８を固定するホース体口部受け１８ｂが配置され、吸上管１８はホース体口部受け１８ｂの中を挿通してぐらつき無く立設されている。吸上管１８の上端が排気端１９であり、吸い上げられたダスト混合空気を前記排気端１９から上方に吹き上げる。吸上管１８の外側で吸上管ケース６と後側本体ケース４に囲まれた環状空間はホース体口部挿入孔部６ａであり、後述するホース体口部３５を挿入するための空間である。
【００３３】
ホース体２０は、ホース２２と、ホース２２の一端側にあるホース体口部３５と、ホース２２の他端側にあるホース体基部２９から構成されている。ホース体口部３５の構造は後述する。ホース体口部３５はホース体口部挿入孔部６ａに挿通され、ホース体口部３５の先端がホース体口部受け１８ｂに当接してホース体口部３５は吸上管１８の先端部に挿脱自在に配置され、排気端１９を開閉できるように構成される。ホース体２０は後側本体ケース４に略平行に垂直状態に立設される。
【００３４】
ホース体口部３５から上方に、ホース２２に沿って把持部３０が立設状に延設されている。把持部３０の上方には、本体側に把持部切欠部３０ａが切欠かれて残った把持部突出片３２が突設され、把持部突出片３２の上部には挿入孔３４が開口され、挿入孔３４の上側には挿入孔周縁部３４ａで境界が形成された把持部突出端３６が形成されている。ホース体口部３５を排気端１９から分離するには、手Ｈで把持部突出端３６を把握してホース体口部３５を上方へ脱離させればよい。
【００３５】
把持部突出片３２に対向して本体側に把持部切欠部３０ａが形成されているから、ホース２２は支持部湾曲壁８ａに沿い乗りして本体側へと湾曲し、ホース体２０の他端部であるホース体基部２９がケース天板５に固定される。ホース他端２８はホース他端管２９ａに固定され、ホース他端管２９ａの内周部にある他端管内側折返端２９ｃに狭持されて固定される。他端管突出端２９ｄはケース天板５に入り込み、他端管受部４１に固定される。従って、ホース体基部２９はケース天板５に脱離不能に固定されることになる。換言すれば、ホース体口部３５が分離可能であるが、ホース体基部２９は本体に固定され、ホース体２０はホース体基部２９を支点にしてホース体口部３５を分離・固定に切り替えることができる。
【００３６】
前述した他端管受部４１はフィルタ部天板４２と一体に配置され、フィルタ部天板４２によって区画された領域がフィルタ部４０を構成する。このフィルタ部４０はフィルタ部正面板４４と一体となって前記空間に挿脱自在に配置される。フィルタ部４０には図示しないフィルタが内蔵され、ダスト混合空気はフィルタ入口部４３からフィルタに流入し、フィルタによりダストが分離集塵され、浄化された空気はフィルタ出口部４５から流出して行く。
【００３７】
モータ部５０には回転動力を与えるモータと、このモータにより吸気力を与える羽根が内蔵されている。フィルタ出口部４５から流出した浄化空気はモータ入口部５１からモータ部５０に吸引され、モータ出口部５２から流出してゆく。後側本体ケース４の背面には多数の排気口６０が開口されており、モータ出口部５２から流出する浄化空気は多数の前記排気口から大気中へと放出される。
【００３８】
次に上記構成の作動を説明する。電源コードリール部７０に卷回収納されている電源コードを引き出してコンセントに接続する。後述する電源ボタンをオンすると、モータ部５０が回転駆動し、吸気口１０から空気が吸引されてゆく。モップやマット等の使用済みの被集塵物を吸気口１０の近傍に配置し、被集塵物を掻落板１２に擦りつけて、ダストを落下させると、ダストは空気中に混合されてダスト混合空気になる。ダスト混合空気は吸気口１０から矢印Ａ方向に吸い込まれ、矢印Ｂ方向に湾曲して、吸上管１８により矢印Ｃ方向に吸い上げられる。ダスト混合空気はホース体口部３５の中を吸い上げられ、ホース２２の中を通過してホース体基部２９からフィルタ入口部４３へと矢印Ｄ方向に流入する。ダスト混合空気はフィルタ部４０内のフィルタでダストが分離集塵され、浄化された空気がフィルタ出口部４５から流出し、モータ入口部５１を介して矢印Ｅ方向へとモータ部５０に吸い込まれる。モータ部５０により浄化空気はモータ出口部に矢印Ｆ方向へと送出され、更に浄化空気は後側本体ケース４に多数形成された排気口６０から大気中へと放出されて行く。
【００３９】
図２は、本発明に係る両用型集塵装置の実施形態の組立分解斜視図である。両用型集塵装置１は、本図に従って組み立てられて、図１に示される全体装置として完成される。既に図１で説明したが、ここで再度重複して説明しておく。本体ケース２のうちケース天板５には電源ボタン孔５ａが開口されている。この電源ボタン孔５ａから電源ボタン５ｂが突設される。
【００４０】
前側本体ケース３には上方にホース他端管２９ａと他端管受部４１が形成されフィルタ部装着空間４７が設けられている。また、下部には下端嵌合部３ａが形成されている。前記フィルタ部装着空間４７には引出状のフィルタ部４０が装着され、そのフィルタ部正面板４４には手指レバー４６が形成されている。フィルタ部４０を前記フィルタ部装着空間４７に差し込んで装着すれば自動的にロックされ、抜き出すときには手指レバー４６を開くとロックが解除されて抜き出すことが可能になる。
【００４１】
底部ケース７には、吸気口１０の上方を塞ぐように掻落板１２が配置されている。内部には、吸込管１４と湾曲管１６が配置され、空気流を上方へと吸い上げるために吸上管１８が立設されている。吸上管１８の上端が排気端１９であり、この排気端から空気流が上方へと引き上げられる。
【００４２】
後側本体ケース４の後部背面には多数の排気口６０が孔状に開口されている。また、後側本体ケースの背部には吸上管ケース６が装着される。後側本体ケース４の背面上部には斜面部９が形成され、前述したケース天板５と一体になって本体ケース２の頂部を形成する。また、斜面部９の下端位置からは樋状の支持部直立壁８ｂが立設され、続いて支持部湾曲壁８ａが湾曲形成されて構成されるホース体支持部８が配置されている。支持部湾曲壁８ａにはホースが湾曲して載置され、吸上管ケース６の内部の上方位置にはケース体口部が内挿され、ケース体口部から上方に把持部３０が立設されている。把持部３０の上方には挿入孔３４が開口され、その周囲上端には把持部突出端３６が位置している。この挿入孔３４に手指を挿入し、把持部突出端に手指を握れば、ホース体を分離して上方に取り出すことが可能になる。
【００４３】
図３は、本発明に係る両用型集塵装置の実施形態の前方斜視図である。図２に従って各部材を組み立てると、図３に示される両用型集塵装置１が完成される。本体ケース２は、ケース天板５と前側本体ケース３と底部ケース７と後側本体ケース４とホース支持部８から構成される。ケース天板５には、電源ボタン５ｂが突設され、ホース２２のホース他端部２８とホース他端管２９ａが配置されている。前側本体ケース３にはフィルタ部４０が装着され、フィルタ部４０の前面には、手指レバー４６とフィルタ部正面板４４が存在する。底部ケース７には掻落板１２と吸気口１０が配置されている。また、ホース支持部８は支持部湾曲壁８ａと支持部直立壁８ｂから構成され、支持部直立壁８ｂから支持部湾曲壁８ａに沿ってホース２２が直立状から湾曲状に配置されている。把持部３０の上方にはは挿入孔３４と把持部突出端３６が形成され、挿入孔に手指を挿入し、把持部突出端３６を手指で把握してホース２２を上方に引き上げると、ホースの先端、即ちホース体口部を本装置から分離することができる。
【００４４】
図４は、本発明に係る両用型集塵装置においてホース体と吸上管との組立分解斜視図である。図４により吸上管１８とホース体口部３５との相互関係が明らかになる。吸上管１８の途中位置にホース体口部受け１８ｂが配置され、ホース体口部受け１８ｂは後側本体ケース４と吸上管ケース６に一体に形成されている。ホース体口部受け１８ｂから上方に突出する吸上管１８の部分を吸上管先端部１８ｄと称する。吸上管先端部１８ｄの周囲に形成される環状空間はホース体口部３５を挿入配置するホース体口部挿入孔部６ａとなる。吸上管１８の上端である吸上管上端面１８ａはダスト混合空気を上方へ放出する排気端１９に相当する。
【００４５】
把持部３０は、ホース２２の一端部を内挿する把持部本体管３１とこれに連続して軸方向に半割状態に残る把持部突出片３２と半割状態に切欠かれた把持部切欠部３０ａから構成される。把持部本体管３１の内部には所定位置に内側段部３３が形成され、最下端に本体管下面３１ａが位置する。把持部切欠部３０ａは本体背面に対面するように配置される。把持部突出片３２の上方には挿入孔周縁部３４ａに取り囲まれて手指を挿入する挿入孔３４が開口され、把持部突出片３２の上端には手指で把握するための把持部突出端３６が形成されている。
【００４６】
ホース２２の下端部であるホース一端２３にはホース一端管２４が固定され、ホース一端管２４は一端管下端面２４ｂから内側に折り返され、その内部にある一端管内側折返端２４ｃの間にホース一端２３を狭着する。一端管下端面２４ｂに口部管上端２５ａが当接するようにホース口部管２５が配置される。ホース口部管２５の下端部にはゴム状管２６が嵌合され、ゴム状管２６の下端部から下方に複数のゴム状突起２７が突設されている。その先端であるゴム状突起先端２７ａが、前述したホース体口部受け１８ｂに当接するように、ホース体口部３５がホース体口部挿入孔部６ａに挿入されるのである。
【００４７】
ホース２２を上方へ引っ張り上げると、ホース一端管２４は把持部本体管３１の内部に挿入され、一端管上端２４ａが内側段部３３に当接する位置まで挿入できる。次に、ホース口部管２５を把持部本体管３１の内部に挿入し、口部管上端２５ａが一端管下端面２４ｂに当接する位置まで挿入できる。このとき、ホース口部管２５の外周面の適所と把持部本体管３１の適所に凹凸等の仮止部を形成して、ホース口部管２５を把持部本体管３１に対し着脱自在に嵌合する。ゴム状管上端２６ａが本体管下面３１ａと当接するようにしておけば、組み合わせた状態では、把持部本体管３１の本体管下面３１ａから連続してゴム状管２６が突出するように配置できる。
【００４８】
纏めておくと、ホース体２０は、ホース２２と、ホース２２の一端部に形成されたホース体口部３５と、ホース２２の他端部に形成されたホース体基部２９から構成される。また、ホース体口部３５は、把持部本体管３１と、その内部に挿入されるホース一端管２４と、ホース一端管２４に当接状態で内挿されるホース口部管２５とゴム状管２６から構成される。更に、上述したように、ホース体口部３５は吸上管先端部１８ｄの周囲に形成される前記ホース体口部挿入孔部６ａに内挿され、ゴム状突起先端２７ａがホース体口部受け１８ｂに当接した状態で固定される。従って、ホース体口部３５が内挿された状態では、排気端１９から吹き上げられたダスト混合空気流はホース体口部３５に入り、ホース２２の中を通過して、図示されないホース体基部２９に到達し、装置本体内に誘導されることになる。
【００４９】
図５は、本発明に係る両用型集塵装置においてホース体と吸上管との連結状態の縦断面図である。図４の組立分解斜視図に従って完全に組み立て、その縦断面が図５に示されている。従って、図５に付された図番号は図４に示される図番号と同様であり、図番号の詳細な説明は省略する。再度述べておくことは、ホース体口部３５の接続・分離の切替手順とダスト混合空気の流通方向である。
この図面の通りに、ホース体口部３５がホース体口部挿入孔部６ａに接続されている場合には、吸気口１０から吸い込まれたダスト混合空気は吸上管１８を矢印Ｃ方向に上昇し、ホース２２の中を通過しながらダスト混合空気は矢印Ｊ方向に流通しながら、フィルタ部４０へと矢印Ｄ方向に流入し、浄化空気はモータ部５０の動力により排気口６０から放出される。
他方、ホース体口部３５をホース体口部挿入孔部６ａから分離するには、手指を挿入孔３４に挿入して把持部突出部３６を把握し、手を上方へ引き上げると、ホース体口部３５はホース体口部挿入孔部６ａから引き離されて分離する。このときには、吸気口１０からの吸引は停止される。ホース２２は柔軟で伸縮自在であるから、ホース体口部３５をモップやマット等の被集塵物に接近させ、被集塵物からダストをホース体口部３５から吸引するのである。
【００５０】
図６は、本発明に係る両用型集塵装置の実施形態の縦断面図で、ホース体を吸上管から分離した状態を示す。図６に示される分離状態は、図１に示される接続状態と対照的な関係にある。図６に示される図番号は図１に示される図番号と同様であり、それら図番号の詳細説明は省略する。ここでは要点だけを説明する。
手指を把持部３０の挿入孔３４に挿入して把持部突出部３６を把握し、手を上方へ引き上げて、ホース体口部３５をホース体口部挿入孔部６ａから引き離す。そして、ホース体口部３５をモップやマット等の被集塵物に接近させ、電源スイッチをオンすると、モータ部５０の吸引動力によりホース体口部３５のホース体口部吸引口３５ａから被集塵物のダストが吸引されるのである。勿論、このときには、吸気口１０からの吸引は無い。ホース２２は柔軟性を有し伸縮自在であるから、ホース２２を本体装置の周囲や多少の遠方への移動も容易に行われる。
【００５１】
この状態で、ダスト混合空気はホース体口部吸引口３５ａから矢印Ｉ方向に吸引され、ホース２２を介して矢印Ｄ方向にフィルタ部４０へと流入する。フィルタ部４０のフィルタによりダスト混合空気からダストが分離集塵される。その結果、浄化空気はフィルタ出口部４５から流出し、モータ入口部５１を通過して矢印Ｅ方向にモータ部５０により吸引される。更に、浄化空気はモータ出口部５２を矢印Ｆ方向に流出し、多数の排気口６０から大気中へと放出されることになる。
【００５２】
図７は、本発明に係る両用型集塵装置において、ホース体支持部を手で把握して両用型集塵装置を持上げて移動する持上げ斜視図である。図番号は上述した通りであるから、ここでは説明を省略し、必要なことだけを下記に述べる。
本発明において、ホース体支持部８は二つの役割を発揮する。ホース体支持部８の第１の役割は、柔軟性と伸縮性を有するホース２２を湾曲状に保持する支持体となることである。ホース２２を安定して確実に保持することができる。ホース体支持部８の第２の役割は、図７に示すように、手Ｈの手指ＨＦでホース体支持部８を把握すると、本体装置は比較的軽量であるから、本体装置を簡単且つ楽に持ち上げることができ、この両用型集塵装置をどこにでも移動できることである。
【００５３】
図８は、本発明に係る両用型集塵装置の吸気口の近傍にモップを接近させてモップから塵埃を吸引する吸引口による塵埃吸引斜視図である。図番号は上述した通りであるから、ここでは説明を省略し、必要なことだけを下記に述べる。
本形態においては、ホース２２はホース体支持部８に湾曲状に保持されてままであり、ホース２２又はホース体２０は全く移動されない。モップやマット等の被集塵物Ｍが本体最下端に設けられた吸気口１０の近傍に配置される。電源ボタン５ｂをオンして吸引作動させた状態で、被集塵物Ｍを掻落板１２に矢印Ｋ方向に往復状に摩擦させると、被集塵物Ｍからダストが落下し、このダストが空気流に吸い込まれてダスト混合空気となり、吸気口１０から吸い込まれる。このときには、手Ｈと手指ＨＦは把持部突出端３６を把握していない。換言すれば、本体装置を作動させて、吸気口１０からダストを吸込み、被集塵物Ｍを浄化して再生させるものである。次に、ホース２２を使用してダスト吸引を行うときに、図示するように、手指で把持部突出端３６を把握して、矢印Ｌ方向に把持部３０を引き上げるのである。引き上げた後の使用状態は図９で説明される。
【００５４】
図９は、本発明に係る両用型集塵装置において、ホース体をホース体支持部から分離してホース体によりモップから塵埃を吸引するホース体による塵埃吸引斜視図である。図番号は上述した通りであるから、ここでは説明を省略し、必要なことだけを下記に述べる。
図８で把持部３０を引き上げると、ホース体口部３５が排気端１９から分離し、更に引き上げるとホース体２０がホース体支持部８を離れる。作業者は把持部突出端３６を把握しても良いし、把持部３０の周囲を把握しても良く、作業のやり易い部位を把握すればよい。ホース体口部吸引口３５ａをモップやマット等の被集塵物Ｍに接近させると、ホース体口部吸引口３５ａから被集塵物Ｍのダストが吸引され、このダストが空気流に混合されてダスト混合空気となり、ホース２２を介して本体装置へと吸い込まれてゆく。その結果、被集塵物Ｍは浄化されて再生されるのである。
【００５５】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００５６】
本発明によれば、被集塵物からダストを空気とともに吸引する吸気口と、吸気口から吸引されたダスト混合空気を上方へと吸い上げる吸上管と、吸上管からダスト混合空気を流通させるホースを含むホース体と、ホース体の一端側で吸上管の排気端に挿脱自在に接続されるホース体口部と、ホース体口部を前記排気端に手動で挿脱させるために前記ホース体口部から延設された手で把持できる把持部を有した構造に集塵装置を組み上げている。
そのため、本発明の集塵装置は、前記ホース体口部を前記吸上管に接続したときには前記吸気口の近傍に前記被集塵物を接近させて被集塵物からダストを吸引することができ、前記把持部を手で把持して前記ホース体口部を前記吸上管の排気端から分離させ、前記ホース体口部を被集塵物の近傍に接近させて被集塵物からダストを吸引することができ、両用型集塵装置として機能する。
その結果、本発明の両用型集塵装置は、ホースの先端を本体に着脱することによって、モップやマット等の被集塵物から本体の吸込口からの吸込とホース先端からの吸込の２方式による切替集塵を可能にし、同時に把持部を手指操作することによって、本体に対するホースの着脱操作を腰を屈めることなく高齢者等でも簡単に行うことができる効果を有する。即ち、本発明の両用型集塵装置は、家電製品業界のみならず、モップやマット等のダストコントロール業界など多くの業界に利用できるものである。
【符号の説明】
【００５７】
１        両用型集塵装置
２        本体ケース
３        前側本体ケース
３ａ      下端嵌合部
４        後側本体ケース
５        ケース天板
５ａ      電源ボタン孔
５ｂ      電源ボタン
６        吸上管ケース
６ａ      ホース体口部挿入孔部
７        底部ケース
８        ホース支持部
８ａ      支持部湾曲壁
８ｂ      支持部直立壁
８ｄ      吸上管先端部
９        斜面部
１０      吸気口
１２      掻落板
１３      吸込路
１４      吸込管
１６      湾曲管
１６ａ    湾曲管上端
１８      吸上管
１８ａ    吸上管上端面
１８ｂ    ホース体口部受け
１８ｃ    吸上管下端
１８ｄ    吸上管先端部
１９      排気端
２０      ホース体
２２      ホース
２３      ホース一端
２４      ホース一端管
２４ａ    一端管上端
２４ｂ    一端管下端面
２４ｃ    一端管内側折返端
２５      ホース口部管
２５ａ    口部管上端
２６      ゴム状管
２６ａ    ゴム状管上端
２７      ゴム状突起
２７ａ    ゴム状突起先端
２８      ホース他端
２９      ホース体基部
２９ａ    ホース他端管
２９ｃ    他端管内側折返端
２９ｄ    他端管突出端
３０      把持部
３０ａ    把持部切欠部
３１      把持部本体管
３１ａ    本体管下面
３２      把持部突出片
３３      内側段部
３４      挿入孔
３４ａ    挿入孔周縁部
３５      ホース体口部
３５ａ    ホース体口部吸引口
３６      把持部突出端
４０      フィルタ部
４１      他端管受部
４２      フィルタ部天板
４３      フィルタ入口部
４４      フィルタ部正面板
４５      フィルタ出口部
４６      手指レバー
５０      モータ部
５１      モータ入口部
５２      モータ出口部
６０      排気口
７０      電源コードリール部
１０１    収納ケース
１０２    下部ケース体
１０３    吸引開口部
１０４    外排気口
１０５    スイッチ
１０６    ブロワ
１０７    モータ
１０８    ファン
１０９    内排気口
１１０    吸引流路
１１１    モップ擦り板
１１２    突状リブ    １１３    上縁部
１１４    上方上縁
１１５    奥壁
１１６    上部
１１７    貫通孔
１１８    係着部
１１９    係着部
１２０    吸引口
１２２    可動係着部
１２３    底面
１２４    フィルタ
２００    モップ
２０１    集塵装置
２０２    本体
２０３    蓋体
２１１    モップ本体
２１２    ハンドル
２２４    操作ボタン
２２６    カバー部材
２３１    吸込口
３０１    吸込口体
３０２    ハンドル
３０３    本体
３０４    ホース
３０５    吸込具
Ｆ        床面
Ｈ        手
Ｈ０      高さ
ＨＦ      手指
Ｍ        被集塵物
【図１】
2015039382.tif 000003
【図２】
2015039382.tif 000004
【図３】
2015039382.tif 000005
【図４】
2015039382.tif 000006
【図５】
2015039382.tif 000007
【図６】
2015039382.tif 000008
【図７】
2015039382.tif 000009
【図８】
2015039382.tif 000010
【図９】
2015039382.tif 000011
【図１０】
2015039382.tif 000012
【図１１】
2015039382.tif 000013
【図１２】
2015039382.tif 000014